(57)【特許請求の範囲】
【請求項１】
押動操作されることによって内容物を吐出する吐出管が設けられた容器本体と、
上記吐出管に嵌合し、該吐出管を押動操作する押し下げ式の操作ボタンと、
上記容器本体に取り付けられ、上記操作ボタンの周囲を囲むように形成された筒状カバーとを備え、
上記操作ボタンを上記吐出管の中心線周りに回動操作することにより、押し下げ可能な押下可能状態と、押し下げが不可能な非押下可能状態とに切り替えられるように構成された操作ボタン付き容器において、
上記操作ボタンには、上記吐出管に連通するノズル部が上記吐出管の中心線と交差する方向に突出するように設けられるとともに、使用者の指が置かれる指載置面が形成され、
上記操作ボタンの外面には、上記吐出管の中心線方向に延びる当接面が設けられ、
上記当接面は、上記操作ボタンの側面において上記ノズル部の基端部を挟むように位置する第１当接面と第２当接面とで構成され、該第１当接面及び該第２当接面は、上記ノズル部の基端部から離れるに従って互いの離間距離が長くなるように延びるとともに、上記吐出管の中心線周りに仮想円を描いたときに該仮想円の接線方向に延びており、
上記筒状カバーには、押下可能状態にある上記操作ボタンの上記当接面と隙間をあけた状態で対向するように配置されるとともに、上記吐出管の中心線方向に延びるボタン支持壁部が設けられ、
上記ボタン支持壁部は、上記操作ボタンの上記第１当接面と隙間をあけた状態で対向するように配置される第１ボタン支持壁部と、上記操作ボタンの上記第２当接面と隙間をあけた状態で対向するように配置される第２ボタン支持壁部とで構成され、
上記操作ボタンに対して上記吐出管の中心線周りに上記第１当接面が上記第１ボタン支持壁部に接近する方向に所定以上の回動力が作用したときに上記第１当接面が上記第１ボタン支持壁部に当接して支持される一方、上記第２当接面が上記第２ボタン支持壁部に接近する方向に所定以上の回動力が作用したときに上記第２当接面が上記第２ボタン支持壁部に当接して支持されることを特徴とする操作ボタン付き容器。
【請求項２】
請求項１に記載の操作ボタン付き容器において、
上記操作ボタンの外面には、被案内部が突出するように設けられ、
上記筒状カバーには、上記被案内部が挿入され、該被案内部を上記吐出管の中心線方向に案内する案内用開口部が該中心線方向に延びるように形成されていることを特徴とする操作ボタン付き容器。
【請求項３】
請求項１または２に記載の操作ボタン付き容器において、
上記操作ボタン及び上記筒状カバーは、上記容器本体の上側に設けられており、
上記ノズル部は、上記操作ボタンから斜め上方へ突出し、該ノズル部の先端部は、上記筒状カバーの上端部よりも上方に位置していることを特徴とする操作ボタン付き容器。
【請求項４】
請求項１から３のいずれか１つに記載の操作ボタン付き容器において、
上記筒状カバーの周壁部には、上記ノズル部が挿入される切欠部が設けられ、
上記筒状カバーにおける上記切欠部の縁部には、上記ノズル部の外面と対向するように配置されるノズル支持壁部が設けられ、
上記操作ボタンに対して上記吐出管の中心線周りに所定以上の回動力が作用したときに上記ノズル部の外面が上記ノズル支持壁部に当接して支持されることを特徴とする操作ボタン付き容器。
【発明の詳細な説明】
【技術分野】
【０００１】
本発明は、内部に薬剤等が収容される容器に関し、特に、押し下げ式の操作ボタンを有する構造の技術分野に属する。
【背景技術】
【０００２】
例えば、薬剤を収容したエアゾール容器の上部に押し下げ式の操作ボタンを設け、この操作ボタンを押し下げることによってエアゾール容器の上部にある吐出管を押動操作し、エアゾール容器に収容されている薬剤を外部に吐出するように構成された操作ボタン付き容器が知られている（例えば、特許文献１参照）。
【０００３】
特許文献１では、エアゾール容器の上部に筒部材を取り付け、この筒部材の中心部に形成された穴に操作ボタンの下部を挿通させてエアゾール容器の吐出管に嵌合させている。さらに、操作ボタンをその上方から覆うカバー筒が筒部材に取り付けられており、操作ボタンのノズルがカバー筒の周壁部を貫通して外部へ突出している。
【０００４】
特許文献１の操作ボタンには水平方向に突出するフランジが形成されており、このフランジの周縁部には、切欠部と突部とが互いに周方向に間隔をあけて設けられている。一方、筒部材には、操作ボタンのフランジが入る大きさの突出筒部が上方へ突設されており、この突出筒部の内周面には、突部が形成されている。また、突出筒部の周方向の一部には、径方向外方へ張り出す張り出し部が形成されている。そして、操作ボタンを吐出管周りに回動させることにより、フランジの切欠部と突出筒部の突部とを中心線方向から見て一致させると操作ボタンの押し下げが可能な押下可能状態になる一方、フランジの切欠部と突出筒部の突部とが一致しないところまで回動させると、操作ボタンの押し下げ不可能な非押下可能状態になる。非押下可能状態では、操作ボタンのフランジから突出する突部が、突出筒部の張り出し部の内側面に当接し、これにより、操作ボタンの回動が阻止されるようになっている。
【先行技術文献】
【特許文献】
【０００５】
【特許文献１】特許第４０６６２４９号公報
【発明の概要】
【発明が解決しようとする課題】
【０００６】
特許文献１では、操作ボタンを吐出管の中心線周りに回動させることによって押下可能状態と非押下可能状態とに切り替えることができるので、使用者による切替操作が素早くかつ簡単に、しかも確実に行える。そして、使用しないときに非押下可能状態にしておくことで操作ボタンをロックすることができるので安全性が高まり、また、使用するときにはすぐに押下可能状態に切り替えて薬剤を噴射させることができるので利便性も高い。つまり、操作ボタンを吐出管の中心線周りに回動操作することによって押下可能状態と非押下可能状態とに切り替える構成を採用したいという要求がある。
【０００７】
ところが、特許文献１の容器が例えば床に落下した場合を想定すると、操作ボタンのノズルがカバー筒の外部へ突出しているのでノズルが床面に直接当たって該ノズルに衝撃力が作用し、そのときの衝撃力の方向によっては操作ボタンを吐出管周りに回動させる衝撃力として作用することが考えられる。この衝撃力によって操作ボタンのフランジから突出している突部が、筒部材の突出筒部の張り出し部の内側面に強く当接し、これにより、突部に過大な力が加わって突部が損傷する恐れがある。
【０００８】
また、使用者が操作ボタンを回動操作する際、操作ボタンのノズルが突出していることからノズルを持つようにして力を加えることが考えられる。このノズルは操作ボタンの回動中心線の径方向に突出しているので、使用者が意図していなくても操作ボタンに対して過大な回動力が加わってしまいがちであり、このことによっても操作ボタンの突部が損傷する恐れがある。
【０００９】
上述したような過大な力が作用した際に操作ボタンの突部の損傷を防止するためには、突部の数を増やして力を分散させることが考えられる。しかしながら、突部の数を増やした場合にはコストアップに加えて筒部材との摺動抵抗が増加して操作性の悪化を招く懸念がある。
【００１０】
本発明は、かかる点に鑑みてなされたものであり、その目的とするところは、回動操作によって押下可能状態と非押下可能状態とに切り替えることができる押し下げ式の操作ボタンに対して回動方向に過大な力が作用した場合に、コストアップや操作性の悪化を招くことなく、各部の破損を抑制できるようにすることにある。
【課題を解決するための手段】
【００１１】
上記目的を達成するために、本発明では、操作ボタンに対して吐出管の中心線周りに所定以上の回動力が作用したときに、筒状カバーの支持壁部によって操作ボタンの外面を支持するようにした。
【００１２】
第１の発明は、
押動操作されることによって内容物を吐出する吐出管が設けられた容器本体と、
上記吐出管に嵌合し、該吐出管を押動操作する押し下げ式の操作ボタンと、
上記容器本体に取り付けられ、上記操作ボタンの周囲を囲むように形成された筒状カバーとを備え、
上記操作ボタンを上記吐出管の中心線周りに回動操作することにより、押し下げ可能な押下可能状態と、押し下げが不可能な非押下可能状態とに切り替えられるように構成された操作ボタン付き容器において、
上記操作ボタンには、上記吐出管に連通するノズル部が上記吐出管の中心線と交差する方向に突出するように設けられるとともに、使用者の指が置かれる指載置面が形成され、
上記操作ボタンの外面には、上記吐出管の中心線方向に延びる当接面が設けられ、
上記当接面は、上記操作ボタンの側面において上記ノズル部の基端部を挟むように位置する第１当接面と第２当接面とで構成され、該第１当接面及び該第２当接面は、上記ノズル部の基端部から離れるに従って互いの離間距離が長くなるように延びるとともに、上記吐出管の中心線周りに仮想円を描いたときに該仮想円の接線方向に延びており、
上記筒状カバーには、押下可能状態にある上記操作ボタンの上記当接面と隙間をあけた状態で対向するように配置されるとともに、上記吐出管の中心線方向に延びるボタン支持壁部が設けられ、
上記ボタン支持壁部は、上記操作ボタンの上記第１当接面と隙間をあけた状態で対向するように配置される第１ボタン支持壁部と、上記操作ボタンの上記第２当接面と隙間をあけた状態で対向するように配置される第２ボタン支持壁部とで構成され、
上記操作ボタンに対して上記吐出管の中心線周りに上記第１当接面が上記第１ボタン支持壁部に接近する方向に所定以上の回動力が作用したときに上記第１当接面が上記第１ボタン支持壁部に当接して支持される一方、上記第２当接面が上記第２ボタン支持壁部に接近する方向に所定以上の回動力が作用したときに上記第２当接面が上記第２ボタン支持壁部に当接して支持されることを特徴とする。
【００１３】
この構成によれば、押下可能状態にある操作ボタンを押し下げる際には、操作ボタンの当接面と筒状カバーのボタン支持壁部との間に隙間があるので、摺動抵抗が増大することはなく、良好な操作性が得られる。そして、吐出管を操作ボタンによって押動操作することで、内容物が操作ボタンのノズル部から吐出される。このとき、ノズル部が吐出管の中心線と交差する方向に突出しているので、内容物の吐出方向をノズル部によって容易に定めることが可能になる。
【００１４】
一方、ノズル部が上述のように突出していることから、例えば容器を落下等させた場合にはノズル部に衝撃力が加わって操作ボタンに対して回動方向に過大な力が作用することが考えられる。この発明では、操作ボタンに対して吐出管の中心線周りに所定以上の回動力が作用すると、操作ボタンの外面に設けられている当接面が筒状カバーのボタン支持壁部に当接して支持される。このとき、当接面及びボタン支持壁部が共に吐出管の中心線方向に延びているので、接触面積が広く確保されて力が分散して作用することになる。これにより、各部の破損が抑制される。
【００１５】
また、操作ボタンの当接面が接線方向に延びる形状となる。すなわち、操作ボタンに対して吐出管の中心線周りに所定以上の回動力が作用したときに、ボタン支持壁部によって当接面が確実に支持される。
【００１６】
また、ノズル部の基端部を挟むように第１当接面及び第２当接面が位置しているので、操作ボタンに対して吐出管の中心線周り一方及び他方の何れの方向に過大な回動力が作用しても、第１当接面または第２当接面が第１ボタン支持壁部または第２ボタン支持壁部に当接することで確実に支持される。
【００１７】
そして、第１当接面及び第２当接面の離間距離がノズル部の基端部から離れるに従って長くなっているので、操作ボタンの上面に形成されている指載置面の形状が、反ノズル部側へ向かって拡大する形状となる。これにより、指載置面に指を置きやすくなる。
【００１８】
第２の発明は、第１の発明において、
上記操作ボタンの外面には、被案内部が突出するように設けられ、
上記筒状カバーには、上記被案内部が挿入され、該被案内部を上記吐出管の中心線方向に案内する案内用開口部が該中心線方向に延びるように形成されていることを特徴とする。
【００１９】
この構成によれば、操作ボタンを押し下げる際には、操作ボタンの被案内部が筒状カバーの案内用開口部によって吐出管の中心線方向に案内されるので、操作ボタンの押し下げ方向が吐出管の中心線方向と略一致するようになる。これにより、操作ボタンの操作性が良好になる。
【００２０】
本発明では、被案内部を案内用開口部に挿入する構成としているので、操作ボタンに対して回動方向に過大な力が作用すると、案内用開口部の周縁部が変形したり、被案内部が変形してしまい、操作ボタンを狙いとする方向に案内することができなくなることが考えられるが、そのような回動力が作用したときには、上述したように操作ボタンの当接面が筒状カバーのボタン支持壁部に当接して支持されるので、案内用開口部の周縁部や被案内部には無理な力が作用しにくくなる。
【００２１】
第３の発明は、第１または２の発明において、
上記操作ボタン及び上記筒状カバーは、上記容器本体の上側に設けられており、
上記ノズル部は、上記操作ボタンから斜め上方へ突出し、該ノズル部の先端部は、上記筒状カバーの上端部よりも上方に位置していることを特徴とする。
【００２２】
この構成によれば、ノズル部が斜め上方へ突出し、かつ、該ノズル部の先端部が筒状カバーの上端部よりも上方に位置しているので、内容物を容器本体の上方へ向けて容易に吐出させることが可能になる。一方、ノズル部の先端部が筒状カバーの上端部よりも上方に位置していることでノズル部に対して無理な力が作用しやすくなることが考えられるが、無理な力が作用したとしても、上述したように操作ボタンの当接面が筒状カバーのボタン支持壁部に当接して支持されるので、各部の破損が抑制される。つまり、第１の発明の作用効果がより一層顕著なものになる。
【００２３】
第４の発明は、第１から３のいずれか１つの発明において、
上記筒状カバーの周壁部には、上記ノズル部が挿入される切欠部が設けられ、
上記筒状カバーにおける上記切欠部の縁部には、上記ノズル部の外面と対向するように配置されるノズル支持壁部が設けられ、
上記操作ボタンに対して上記吐出管の中心線周りに所定以上の回動力が作用したときに上記ノズル部の外面が上記ノズル支持壁部に当接して支持されることを特徴とする。
【００２４】
この構成によれば、操作ボタンに対して吐出管の中心線周りに所定以上の回動力が作用すると、ノズル部の外面が筒状カバーのノズル支持壁部に当接して支持される。これにより、上記回動力がノズル部にも分散されることになるので、各部の破損が抑制される。
【発明の効果】
【００２５】
第１の発明によれば、操作ボタンの外面に吐出管の中心線方向に延びる当接面を設け、筒状カバーに操作ボタンの当接面と隙間をあけた状態で対向するように配置されるボタン支持壁部を設け、操作ボタンに対して吐出管の中心線周りに所定以上の回動力が作用したときに、ボタン支持壁部によって当接面を支持することができる。これにより、コストアップや操作性の悪化を招くことなく、各部の破損を抑制できる。
【００２６】
また、操作ボタンの当接面が、吐出管の中心線周りに仮想円を描いたときに該仮想円の接線方向に延びているので、操作ボタンに対して吐出管の中心線周りに所定以上の回動力が作用したときに、ボタン支持壁部によって当接面を確実に支持できる。
【００２７】
また、操作ボタンの側面に、ノズル部の基端部を挟むように第１当接面と第２当接面を設け、筒状カバーに第１ボタン支持壁部と第２ボタン支持壁部とを設けたので、操作ボタンに対して吐出管の中心線周り一方及び他方の何れの方向に過大な回動力が作用しても各部の破損を抑制できる。そして、第１当接面及び第２当接面の離間距離がノズル部の基端部から離れるに従って長くなっているので、操作ボタンに形成されている指載置面を、反ノズル部側へ向かって拡大する形状にすることができ、これにより、指載置面に指を置きやすくすることができ、操作性を良好にすることができる。
【００２８】
第２の発明によれば、操作ボタンの被案内部が挿入される案内用開口部を筒状カバーに形成したので、操作ボタンの操作性を良好にすることができる。そして、操作ボタンに対して回動方向に過大な力が作用した場合に、筒状カバーのボタン支持壁部によって操作ボタンの当接面を支持ようにしているので、案内用開口部の周縁部や被案内部には無理な力が作用しにくくなり、それらの変形を未然に防止できる。
【００２９】
第３の発明によれば、ノズル部の先端部が筒状カバーの上端部よりも上方に位置しているので、内容物を容器本体の上方へ向けて容易に吐出させることができる。また、この構成によってノズル部に対して無理な力が作用しやすくなったとしても、上述したように操作ボタンの当接面を筒状カバーのボタン支持壁部によって支持して各部の破損を抑制できるので、第１の発明の作用効果がより一層顕著なものになる。
【００３０】
第４の発明によれば、操作ボタンに対して吐出管の中心線周りに所定以上の回動力が作用したときにノズル部の外面を筒状カバーのノズル支持壁部によって支持することができる。これにより、回動力をノズル部にも分散できるので、各部の破損を抑制できる。
【図面の簡単な説明】
【００３１】
【図１】実施形態に係る操作ボタン付き容器を右側前方から見た斜視図である。
【図２】実施形態に係る操作ボタン付き容器を右側後方から見た斜視図である。
【図３】実施形態に係る操作ボタン付き容器の右側図である。
【図４】実施形態に係る操作ボタン付き容器の背面図である。
【図５】図４のＶ−Ｖ線断面図である。
【図６】操作ボタンを右側後方から見た斜視図である。
【図７】操作ボタンを右側前方から見た斜視図である。
【図８】操作ボタンの平面図である。
【図９】操作ボタンの左側図である。
【図１０】図８のＸ−Ｘ線断面図である。
【図１１】筒状ベースを右側後方から見た斜視図である。
【図１２】筒状ベースを右側前方から見た斜視図である。
【図１３】筒状ベースの平面図である。
【図１４】筒状ベースの背面図である。
【図１５】筒状ベースの左側面図である。
【図１６】筒状ベースの右側面図である。
【図１７】図１３のXVII−XVII線断面図である。
【図１８】筒状カバーを右側後方から見た斜視図である。
【図１９】筒状カバーを右側前方から見た斜視図である。
【図２０】筒状カバーの平面図である。
【図２１】筒状カバーの背面図である。
【図２２】筒状カバーの右側面図である。
【図２３】図２０のXXIII−XXIII線断面図である。
【発明を実施するための形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
図１は、本発明の実施形態に係る操作ボタン付き容器１の斜視図である。この操作ボタン付き容器１は、図２〜図５にも示すように、容器本体１０と、押し下げ式の操作ボタン２０と、容器本体１０に取り付けられる筒状ベース３０と、筒状ベース３０に取り付けられる筒状カバー４０とを備えている。そして、操作ボタン２０及び筒状カバー４０を容器本体１０の吐出管１３の中心線Ａ（図５に示す）周りに回動操作することによって、操作ボタン２０を押し下げ可能な押下可能状態と、該操作ボタン２０の押し下げが不可能な非押下可能状態とに切り替えられるように構成されている。
【００３４】
尚、この実施形態の説明では、使用者が手で持って使用するときに使用者から見て左側及び右側をそれぞれ単に「左」及び「右」といい、使用者から見て手前側となる側を単に「後」といい、使用者から見て奥側となる側を単に「前」というものとする。
【００３５】
（容器本体の構成）
容器本体１０には、例えば害虫忌避剤、殺虫剤、芳香剤、消臭剤、除菌剤等の液状の薬剤（内容物）を収容することができ、これらのうち、１つだけ収容するようにしてもよいし、任意の複数種を混合して収容してもよい。また、容器本体１０には、上記薬剤を噴射させるためのガス等からなる噴射剤（内容物）を収容することもできる。
【００３６】
容器本体１０の周壁部は円筒状に形成されており、外部から内容物の残量を把握できるように透光性を有している。図５に示すように、容器本体１０の上部には、バルブ機構（図示せず）を内蔵した閉塞部材１２が固定されており、この閉塞部材１２によって容器本体１０の上部開口が閉塞されている。閉塞部材１２の外径は、容器本体１０の上下方向中間部の外径よりも十分に小さく設定されている。
【００３７】
閉塞部材１２に内蔵されているバルブ機構は従来から周知のものであり、上下方向に移動するとともに内容物を吐出するための吐出管１３と、吐出管１３を上方に付勢するバネ等からなる付勢部材（図示せず）と、弁体（図示せず）とを有している。吐出管１３が上昇端位置にあるときには弁体によって吐出管１３の下端部（上流端部）が閉じられて容器本体１０の内部と吐出管１３とが連通しないようになる一方、吐出管１３が上昇端位置から下方へ押動操作されると吐出管１３の下端部が開かれて容器本体１０の内部と吐出管１３とが連通して内容物が吐出管１３の上端部から吐出されるように、上記バルブ機構が構成されている。
【００３８】
尚、上述したバルブ機構は一例であり、吐出管１３を押動操作することによって吐出管１３から内容物を吐出可能にする構造のものであればよい。また、内容物を吐出する際の単位時間当たりの吐出量は任意に設定することができ、例えば霧状に吐出する噴射状態であってもよいし、垂れるように吐出する状態であってもよい。また、容器本体１０に噴射剤を収容しない場合には、操作ボタン２０によって操作される手動式ポンプを容器本体１０に取り付けるようにしてもよい。
【００３９】
（操作ボタンの構成）
図６〜図１０に示す操作ボタン２０は、例えば樹脂材を射出成型して得ることができ、全体が一体成形されている。図５に示すように、操作ボタン２０は、吐出管１３の上側に嵌合し、該吐出管１３を押動操作するためのものであり、ボタン本体２１と、ノズル部２３とを有している。ノズル部２３は、ボタン本体２１の前部から突出している。
【００４０】
図８等に示すように、ボタン本体２１は、左側壁部２４、右側壁部２５、後壁部２６及び上壁部２７を有しており、図１０に示すように下方にのみ開放する中空状となっている。図６、図７、図９等に示すように、左側壁部２４、右側壁部２５及び後壁部２６は上下方向、即ち吐出管１３の中心線Ａ（図１０に示す）方向に延びていて、左側壁部２４、右側壁部２５及び後壁部２６により、三角形に近い形状の周壁部が構成されている。すなわち、左側壁部２４は、ボタン本体２１の前端部から後側へ向かって延び、後側へ行くほど左側に位置している。右側壁部２５は、左側壁部２４の前端部に連続し、後側へ向かって延び、後側へ行くほど右側に位置している。
【００４１】
また、図８に示すように、左側壁部２４及び右側壁部２５の左右方向の離間距離はボタン本体２１の後側へ行くほど長くなっている。左側壁部２４の外面は、吐出管１３の中心線Ａ方向（上下方向）に延びる左側当接面（第１当接面）２４ａであり、右側壁部２５の外面は、吐出管１３の中心線Ａ方向に延びる右側当接面（第２当接面）２５ａである。左側当接面２４ａ及び右側当接面２５ａは、操作ボタン２０の側面においてノズル部２３の基端部（後端部）を挟むように位置し、また、左側壁部２４及び右側壁部２５の左右方向の離間距離がボタン本体２１の後側へ行くほど長くなっているので、左側当接面２４ａ及び右側当接面２５ａは、ノズル部２３の基端部から離れるに従って互いの離間距離が長くなる。また、左側当接面２４ａ及び右側当接面２５ａは、吐出管１３の中心線Ａ周りに仮想円を描いたときに、該仮想円の接線方向に延びている。
【００４２】
左側当接面２４ａにおける前後方向中間部には、左側被案内部２４ｂが設けられている。左側被案内部２４ｂは、左側へ突出して吐出管１３の中心線Ａ方向に延びる板状をなしている。また、右側当接面２５ａにおける前後方向中間部には、右側被案内部２５ｂが設けられている。右側被案内部２５ｂは、右側へ突出して吐出管１３の中心線Ａ方向に延びる板状をなしている。図６及び図７に示すように、左側被案内部２４ｂ及び右側被案内部２５ｂの下端部は、それぞれ左側壁部２４及び右側壁部２５の下端部に位置している。左側被案内部２４ｂ及び右側被案内部２５ｂの上端部は、それぞれ左側壁部２４及び右側壁部２５の上下方向中間部に位置している。左側被案内部２４ｂ及び右側被案内部２５ｂは、後述するが、筒状カバー４０によって上下方向に案内される部分である。
【００４３】
ボタン本体２１の後壁部２６は、左側壁部２４の後端部から右側壁部２５の後端部まで左右方向に延びており、全体として左右方向中央部が最も後側に位置するように後側に向けて湾曲している。図６に示すように、後壁部２６の上下方向中央部よりも下側には、後側へ突出する突起２６ａ、２６ａが左右方向に間隔をあけて設けられている。後壁部２６の下部には、左右方向の中央部に、下方に開放する切欠部２６ｂが形成されている。この切欠部２６ｂは、突起２６ａ、２６ａの間に位置している。切欠部２６ｂの左右両縁部は互いに平行に上下方向に延び、切欠部２６ｂの上縁部は左右方向に延びている。
【００４４】
ボタン本体２１の上壁部２７は、左側壁部２４、右側壁部２５及び後壁部２６の上端部に連続している。図９に示すように、上壁部２７は、後側へ行くほど下に位置するように全体として傾斜しており、特に後側部分は後端に近づくほど下に位置するように湾曲形成されている。上壁部２７の上面は、使用者の指が置かれる指載置面２７ａとされている。この指載置面２７ａは、平面視で、後側へ行くほど左右方向の寸法が長くなるように形成されており、指を後側から容易に置いて掛けることができるようになっている。
【００４５】
図１０に示すように、ボタン本体２１の上壁部２７の下面には、その中央部近傍から下方へ突出する嵌合筒部２７ｂが設けられている。嵌合筒部２７ｂの下側に、吐出管１３の上側が挿入されて嵌合する。嵌合筒部２７ｂが吐出管１３に嵌合した状態で全周に亘ってシールされる。
【００４６】
ボタン本体２１の上壁部２７の下面には、その前側に、通路形成部２７ｃが下方へ膨出するように形成されている。通路形成部２７ｃの内部には、嵌合筒部２７ｂの上端部に連通する吐出通路２７ｄが形成されている。吐出通路２７ｄは、前側へ向かって延び、前側へ行くほど上に位置するように傾斜している。
【００４７】
ノズル部２３は、吐出管１３の中心線Ａと交差する方向である前側へ突出しており、前側へ行くほど上に位置するように傾斜している。ノズル部２３は、その基端側が吐出通路２７ｄ及び嵌合筒部２７ｂを介して容器本体１０の吐出管１３と連通している。ノズル部２３の傾斜角度は、例えば吐出管１３の中心線Ａと直交する平面とのなす角度が５度以上４５度以下の範囲で設定することができる。ノズル部２３を傾斜させることで、内容物を斜め上方へ向けて効果的に吐出することが可能になる。
【００４８】
図６〜図９に示すように、ノズル部２３の外面には、左側及び右側へ突出して該ノズル部２３の中心線方向に延びる左リブ２３ａ及び右リブ２３ｂが形成されている。左リブ２３ａ及び右リブ２３ｂの基端部は、上壁部２７に連続している。また、ノズル部２３の外面には、上側及び下側へ突出して該ノズル部２３の中心線方向に延びる上リブ２３ｃ及び下リブ２３ｄが形成されている。上リブ２３ｃの基端部は、上壁部２７の前部に連続している。下リブ２３ｄの基端部は、左側壁部２４及び右側壁部２５の前部に連続し、該左側壁部２４及び右側壁部２５の下端部まで延びている。
【００４９】
（筒状ベースの構成）
図１１〜図１７に示す筒状ベース３０は、例えば樹脂材を射出成型して得ることができ、全体が一体成形されている。筒状ベース３０は、外筒部３１と、外筒部３１の内側に設けられる内筒部３２と、環状板部３３とを有している。外筒部３１は、上下方向に延び、容器本体１０の上下方向中間部の外径と略同じ外径を有する円筒状に形成されている。外筒部３１の中心線は、吐出管１３の中心線Ａと略一致するようになっている。外筒部３１の下端部は全体が開放され、容器本体１０の上部が外筒部３１の下端部から挿入される。
【００５０】
外筒部３１の上端部には環状板部３３が連続している。環状板部３３は、外筒部３１の上端部から径方向内方へ向けて外筒部３１の中心線と直交するように延び、周方向に連続する円環状をなしている。環状板部３３の内方に容器本体１０の上部が位置するようになっている。
【００５１】
内筒部３２は、環状板部３３の内側から下方へ延びる円筒状をなしており、外筒部３１と同心状に位置している。内筒部３２の下端部は全体が開放され、容器本体１０の上部が内筒部３２の下端部から挿入される。内筒部３２の外径は、外筒部３１の内周面との間に隙間ができるように設定されている。内筒部３２の内周面には、左右方向両側に突条部３２ａ、３２ａが形成されている。突条部３２ａ、３２ａは、容器本体１０の上部に嵌合するようになっている。つまり、容器本体１０の上部を内筒部３２の下端部から挿入して突条部３２ａ、３２ａを容器本体１０の上部に嵌合させることによって筒状ベース３０が容器本体１０に取り付けられる。この状態で、吐出管１３の上側は環状板部３３よりも上方へ突出している。
【００５２】
環状板部３３の上面には、上方へ突出するとともに、外筒部３１の中心線を中心とした円環状に延びる円環状壁部３４が設けられている。円環状壁部３４の外径は外筒部３１の外径よりも小さく設定されており、これにより、筒状ベース３０の外周面に段部３０ａが形成され、筒状カバー４０の下側が筒状ベース３０の外側に嵌合可能になる。円環状壁部３４の後側には、上方へ突出する後側円弧板部３５が設けられている。また、円環状壁部３４の左側及び右側には、それぞれ、上方へ突出する左側円弧板部３６及び右側円弧板部３７が設けられている。左側円弧板部３６と右側円弧板部３７とは左右方向に離れている。また、左側円弧板部３６及び右側円弧板部３７は、後側円弧板部３５から前方に離れている。左側円弧板部３６及び右側円弧板部３７の上端部は、後側円弧板部３５の上端部よりも上方に位置している。後側円弧板部３５、左側円弧板部３６及び右側円弧板部３７の円弧中心は、それぞれ外筒部３１の中心線上に位置している。左側円弧板部３６及び右側円弧板部３７の間に操作ボタン２０の下リブ２３ｄが位置するようになっている。
【００５３】
円環状壁部３４の内周面の後側には、前側へ突出する後側突片３４ａが設けられている。後側突片３４ａは、環状板部３３の上面から上方へ延びている。後側突片３４ａの上端部は、後側円弧板部３５の上端部よりも下方に位置している。操作ボタン２０が押下可能状態にあるときには操作ボタン２０の後壁部２６の切欠部２６ｂの直下方に後側突片３４ａが位置し、かつ、操作ボタン２０が非押下可能状態にあるときには操作ボタン２０の後壁部２６の切欠部２６ｂから外れたところに後側突片３４ａが位置するように、後側突片３４ａの周方向の形成位置が設定されている。
【００５４】
円環状壁部３４の内周面の左側及び右側には、それぞれ、左側及び右側突片３４ｂ、３４ｃが設けられている。左側突片３４ｂは右側へ突出し、右側突片３４ｃは左側へ突出している。左側及び右側突片３４ｂ、３４ｃは、環状板部３３の上面から上方へ延びている。左側及び右側突片３４ｂ、３４ｃの上端部は、左側円弧板部３６及び右側円弧板部３７の上端部よりも下方に位置している。
【００５５】
環状板部３３の上面には、上方へ突出する前側円弧板部３８が設けられている。前側円弧板部３８は、環状板部３３の内縁部に沿って延びており、環状板部３３の略前半部にのみ設けられている。前側円弧板部３８の左右方向中央部には、上方に開放する切欠部３８ａが形成されている。
【００５６】
前側円弧板部３８の左縁部及び右縁部には、それぞれ、上下方向に延びる左板部３８ｂ及び右板部３８ｃが設けられている。左板部３８ｂは、前側円弧板部３８の左縁部から左側へ延び、円環状壁部３４の内周面に連続している。左板部３８ｂは、左側突片３４ｂと略平行に延びている。右板部３８ｃは、前側円弧板部３８の右縁部から右側へ延び、円環状壁部３４の内周面に連続している。右板部３８ｃは、右側突片３４ｃと略平行に延びている。押下可能状態にある操作ボタン２０を押し下げると、左側被案内部２４ｂが左板部３８ｂと左側突片３４ｂとの間に入り、右側被案内部２５ｂが右板部３８ｃと右側突片３４ｃとの間に入る。
【００５７】
前側円弧板部３８には、左側連結リブ３８ｄと右側連結リブ３８ｅとが設けられている。左側連結リブ３８ｄ及び右側連結リブ３８ｅは、それぞれ径方向に延びて前側円弧板部３８と円環状壁部３４とを連結している。
【００５８】
円環状壁部３４の外周面には、ベース側係合突部（ベース側係合部）３９が設けられている。ベース側係合突部３９は、後述するカバー側係合溝部４２に入ることによって該カバー側係合溝部４２に係合する部分であり、筒状ベース３０のノズル部２３側である前側から両側方（左右両側）に亘って連続して延びるように形成された突条で構成されている。ベース側係合突部３９の左側端部及び右側端部は、それぞれ筒状ベース３０の中心部よりも後側まで延びているが、これら両端部は連続することなく左右方向に離れている。従って、ベース側係合突部３９は、筒状ベース３０の反ノズル部２３側（後側）には形成されないように、該後側において非連続となっている。ベース側係合突部３９は、円環状壁部３４の外周面に沿って延びているので、吐出管１３の中心線Ａ周りに描いた仮想円と同心上に位置するように延びている。
【００５９】
筒状ベース３０の後側には、ベース側係合突部３９の非連続部分にストッパ部３０ｂが設けられている。ストッパ部３０ｂは、円環状壁部３４の外周面から後側へ突出する凸部で構成されており、詳細は後述するが、非押下可能状態にある筒状カバー４０に係合して操作ボタン２０及び筒状カバー４０の回動を停止させるためのものである。また、ストッパ部３０ｂは、押下可能状態にある筒状カバー４０に係合して操作ボタン２０及び筒状カバー４０の回動を停止させることもできるようになっている。
【００６０】
円環状壁部３４におけるストッパ部３０ｂの周囲には、該ストッパ部３０ｂを囲むように延びるスリット３０ｃが形成されている。スリット３０ｃは、ストッパ部３０ｂの左側方を上下方向に延びる部分と、ストッパ部３０ｂの右側方を上下方向に延びる部分と、これらの上端部同士を繋ぐように左右方向に延びる部分とで構成されており、これにより、円環状壁部３４におけるストッパ部３０ｂが形成された部分は、その下端部を基点として上側が前後方向（円環状壁部３４の径方向）に撓み変形する可撓片３０ｄとなる。この可撓片３０ｄの変形は弾性変形である。
【００６１】
図１４に示すように、筒状ベース３０の後側には、段部３０ａの下方に「ＬＯＣＫ」の文字からな非押下可能状態表示部３０ｅと、「ＯＰＥＮ」の文字からなる押下可能状態表示部３０ｆとが設けられている。詳細は後述するが、図１２等に示す筒状カバー４０に設けられている目印部４０ａが、非押下可能状態表示部３０ｅと一致したときに操作ボタン２０が非押下可能状態であることを示す一方、筒状カバー４０に設けられている目印部４０ａが、押下可能状態表示部３０ｆと一致したときに操作ボタン２０が押下可能状態であることを示すようになっている。
【００６２】
（筒状カバーの構成）
図１８〜図２３に示す筒状カバー４０は、例えば樹脂材を射出成型して得ることができ、全体が一体成形されたものであり、筒状ベース３０に取り付けられた状態で操作ボタン２０の周囲を囲むように形成されている。
【００６３】
筒状カバー４０の下側には、嵌合壁部４１が設けられている。嵌合壁部４１は、筒状ベース３０の円環状壁部３４の外側に嵌合する円環状に形成されており、嵌合壁部４１の中心は、円環状壁部３４の中心と一致するようになっている。嵌合壁部４１の内周面には、カバー側係合溝部（カバー側係合部）４２が設けられている。
【００６４】
カバー側係合溝部４２には、ベース側係合突部３９が入るようになっている。カバー側係合溝部４２にベース側係合突部３９が入ることで、筒状ベース３０と筒状カバー４０とを中心線Ａ方向に引き離すような力が作用した際に、カバー側係合溝部４２の内面にベース側係合突部３９の外面が当接して係合し、筒状ベース３０から筒状カバー４０が外れないようになっている。
【００６５】
カバー側係合溝部４２は、筒状カバー４０のノズル部２３側である前側から両側方（左右両側）に亘って連続して延びるように形成されている。カバー側係合溝部４２の左側端部及び右側端部は、それぞれ筒状カバー４０の中心部よりも後側まで延びているが、両端部は連続することなく左右方向に離れている。従って、カバー側係合溝部４２は、筒状カバー４０の反ノズル部２３側（後側）には形成されないように、該後側において非連続となっている。カバー側係合溝部４２は、嵌合壁部４１の内周面に沿って延びているので、吐出管１３の中心線Ａ周りに描いた仮想円と同心上に位置するように延びている。また、カバー側係合溝部４２の周方向の長さは、ベース側係合突部３９の周方向の長さよりも長く設定されており、これにより、ベース側係合突部３９及びカバー側係合溝部４２に非連続部分が存在していても、カバー側係合溝部４２にベース側係合突部３９が入った状態で、筒状カバー４０が筒状ベース３０に対して中心線Ａ周りに回動可能になる。
【００６６】
筒状カバー４０の嵌合壁部４１の内周面には、カバー側係合溝部４２の非連続部分（後側部分）に凹部４１ａ（図２１に外形を破線で示す）が形成されている。この凹部４１ａ内に、上記筒状ベース３０のストッパ部３０ｂが配置されるようになっている。さらに、凹部４１ａの内面には、その左側及び右側にそれぞれ左側窪み部４１ｂ及び右側窪み部４１ｃ（図２１に外形を破線で示す）が形成されており、左側窪み部４１ｂと右側窪み部４１ｃとは嵌合壁部４１の周方向に互いに離れている。左側窪み部４１ｂ及び右側窪み部４１ｃには、筒状ベース３０のストッパ部３０ｂが入ることによって係合するようになっている。すなわち、筒状ベース３０のストッパ部３０ｂが左側窪み部４１ｂに入るまで筒状カバー４０が筒状ベース３０に対して中心線Ａ周りに回動すると、ストッパ部３０ｂが左側窪み部４１ｂに係合し、筒状カバー４０の回動が停止する。この状態が、非押下可能状態であり、このときに、筒状カバー４０の嵌合壁部４１の外周面に設けられている目印部４０ａが筒状ベース３０の非押下可能状態表示部３０ｅと一致する。一方、筒状ベース３０のストッパ部３０ｂが右側窪み部４１ｃに入るまで筒状カバー４０が筒状ベース３０に対して中心線Ａ周りに回動すると、ストッパ部３０ｂが右側窪み部４１ｃに係合し、筒状カバー４０の回動が停止する。この状態が、押下可能状態であり、このときに、筒状カバー４０の嵌合壁部４１の外周面に設けられている目印部４０ａが筒状ベース３０の押下可能状態表示部３０ｆと一致する。
【００６７】
図１８に示すように、筒状カバー４０の嵌合壁部４１の後側には、径方向内方へ突出して周方向に延びる突条部４１ｄが形成されている。図５に示すように、この突条部４１ｄによって、筒状ベース３０の後側円弧板部３５の上端部が覆われている。また、図示しないが、操作ボタン２０を筒状カバー４０に仮に組み付けた状態では、操作ボタン２０の突起２６ａ、２６ａが突条部４１ｄに対して上方から接触して係合するようになっている。
【００６８】
図１９に示すように、筒状カバー４０の周壁部４３の前側には、操作ボタン２０のノズル部２３が挿入される切欠部４３ａが設けられている。この切欠部４３ａは上方に開放している。切欠部４３ａの下側部分の幅は上側部分の幅よりも狭く設定されている。切欠部４３ａの下側部分には、ノズル部２３の下リブ２３ｄが入るようになっている。切欠部４３ａの上側部分の幅は、ノズル部２３の左リブ２３ａ及び右リブ２３ｂが入ることが可能な幅となっている。図１等に示すようにノズル部２３の先端部は、切欠部４３ａから筒状カバー４０の外部へ突出するように延び、筒状カバー４０の上端部よりも上方に位置している（図３参照）。
【００６９】
図１８に示すように、筒状カバー４０の周壁部４３の上端部には、左側上板部４４と、右側上板部４５とが設けられている。左側上板部４４及び右側上板部４５は、後側へ向かって下降傾斜している。左側上板部４４には、周壁部４３の内部に位置する左側ボタン支持壁部４６が下方へ延びるように設けられている。左側ボタン支持壁部４６は、押下可能状態にある操作ボタン２０の左側当接面２４ａと隙間をあけた状態で対向するように配置されるとともに、上下方向、即ち吐出管１３の中心線Ａ方向に延びている。
【００７０】
また、図２１に示すように、右側上板部４５には、周壁部４３の内部に位置する右側ボタン支持壁部４７が下方へ延びるように設けられている。右側ボタン支持壁部４７は、押下可能状態にある操作ボタン２０の右側当接面２５ａと隙間をあけた状態で対向するように配置されるとともに、上下方向、即ち吐出管１３の中心線Ａ方向に延びている。
【００７１】
左側ボタン支持壁部４６及び右側ボタン支持壁部４７は、吐出管１３の中心線Ａ周りに仮想円を描いたときに、該仮想円の接線方向に延びている。そして、詳細は後述するが、操作ボタン２０に対して吐出管１３の中心線Ａ周りに左方向の回動力が所定以上の大きさで作用したときには、操作ボタン２０の左側当接面２４ａが左側ボタン支持壁部４６に当接して支持され、一方、操作ボタン２０に対して吐出管１３の中心線Ａ周りに右方向の回動力が所定以上の大きさで作用したときには、操作ボタン２０の右側当接面２５ａが右側ボタン支持壁部４７に当接して支持されるようになっている。
【００７２】
図１８に示すように、左側ボタン支持壁部４６には、上記操作ボタン２０の左側被案内部２４ｂが挿入され、該左側被案内部２４ｂを吐出管１３の中心線Ａ方向に案内する左側案内用開口部４６ａが該中心線Ａ方向（上下方向）に延びるように形成されている。左側案内用開口部４６ａは左側ボタン支持壁部４６に形成されたスリットで構成されていて、下端部は開放されている。操作ボタン２０が押下可能状態にあるときに、左側案内用開口部４６ａの下端部は、筒状ベース３０の左板部３８ｂと左側突片３４ｂとの間の直上方に位置している。
【００７３】
図２１に示すように、右側ボタン支持壁部４７には、上記操作ボタン２０の右側被案内部２５ｂが挿入され、該右側被案内部２５ｂを吐出管１３の中心線Ａ方向に案内する右側案内用開口部４７ａが該中心線Ａ方向（上下方向）に延びるように形成されている。右側案内用開口部４７ａは右側ボタン支持壁部４７に形成されたスリットで構成されていて、下端部は開放されている。操作ボタン２０が押下可能状態にあるときに、右側案内用開口部４７ａの下端部は、筒状ベース３０の右板部３８ｃと右側突片３４ｃとの間の直上方に位置している。
【００７４】
筒状カバー４０の周壁部４３における切欠部４３ａの左縁部には、ノズル部２３の左側の外面と対向するように配置される左側ノズル支持壁部４８が設けられている。左側ノズル支持壁部４８と、ノズル部２３の左側の外面との間には所定の隙間が形成されていて、操作ボタン２０が押下可能状態にあるときには、左側ノズル支持壁部４８とノズル部２３とが接触しないようになっている。左側ノズル支持壁部４８は、左側ボタン支持壁部４６と連続しており、左側ボタン支持壁部４６は左側ノズル支持壁部４８を介して周壁部４３と一体化している。また、左側ノズル支持壁部４８の下端部は、左側ボタン支持壁部４６の下端部よりも上に位置している。
【００７５】
筒状カバー４０の周壁部４３における切欠部４３ａの右縁部には、ノズル部２３の右側の外面と対向するように配置される右側ノズル支持壁部４９が設けられている。右側ノズル支持壁部４９と、ノズル部２３の右側の外面との間には所定の隙間が形成されていて、操作ボタン２０が押下可能状態にあるときには、右側ノズル支持壁部４９とノズル部２３とが接触しないようになっている。右側ノズル支持壁部４９は、右側ボタン支持壁部４７と連続しており、右側ボタン支持壁部４７は右側ノズル支持壁部４９を介して周壁部４３と一体化している。また、右側ノズル支持壁部４９の下端部は、右側ボタン支持壁部４７の下端部よりも上に位置している。
【００７６】
そして、操作ボタン２０に対して吐出管１３の中心線Ａ周りの左方向の回動力が所定以上の大きさで作用したときには、ノズル部２３の左側の外面が左側ノズル支持壁部４８に当接して支持され、一方、操作ボタン２０に対して吐出管１３の中心線Ａ周りの右方向の回動力が所定以上の大きさで作用したときには、ノズル部２３の右側の外面が右側ノズル支持壁部４８に当接して支持される。
【００７７】
（組立方法）
次に、上記のように構成された操作ボタン付き容器１の組立方法について説明する。操作ボタン２０と、筒状ベース３０と、筒状カバー４０とを成型した後、はじめに操作ボタン２０を筒状カバー４０に組み付ける。すなわち、操作ボタン２０を筒状カバー４０の下方から該筒状カバー４０の周壁部４３の内部へ挿入していき、このとき、ノズル部２３の先端部を周壁部４３の内部へ先に差し込んで、該先端部を切欠部４３ａの内部に挿入する。そして、ボタン本体２１を周壁部４３の内部に挿入する。ボタン本体２１を周壁部４３の内部に挿入する際には、ボタン本体２１の左側被案内部２４ｂを筒状カバー４０の左側案内用開口部４６ａに下端部から挿入するとともに、ボタン本体２１の右側被案内部２５ｂを筒状カバー４０の右側案内用開口部４７ａに下端部から挿入する。ボタン本体２１を周壁部４３に更に深く挿入する際には、左側案内用開口部４６ａ及び右側案内用開口部４７ａによって案内されるので、スムーズに挿入することができる。ボタン本体２１を周壁部４３に完全に挿入すると、操作ボタン２０の突起２６ａ、２６ａが筒状カバー４０の突条部４１ｄに対して上方から接触して係合するので、操作ボタン２０が筒状カバー４０に仮組み付けされた状態で離脱することはない。
【００７８】
その後、筒状カバー４０の嵌合壁部４１の内側に筒状ベース３０の円環状壁部３４を挿入して、嵌合壁部４１を円環状壁部３４の外側に嵌合させ、筒状カバー４０の嵌合壁部４１のカバー側係合溝部４２に、筒状ベース３０の円環状壁部３４のベース側係合突部３９を入れて両者を係合させる。カバー側係合溝部４２にベース側係合突部３９を入れるときには、嵌合壁部４１や円環状壁部３４が弾性変形することや、ベース側係合突部３９が弾性変形し、これにより、カバー側係合溝部４２にベース側係合突部３９を入れることができる。また、ベース側係合突部３９及びカバー側係合溝部４２には非連続部分があるので、ベース側係合突部３９及びカバー側係合溝部４２を係合させるのに要する力が小さくて済む。
【００７９】
尚、非連続部分はベース側係合突部３９及びカバー側係合溝部４２の一方にのみ形成されていてもよい。また、ベース側係合部を溝部とし、カバー側係合部を突部としてもよい。
【００８０】
次いで、容器本体１０の上部を筒状ベース３０の内筒部３２の下端部から該内筒部３２に挿入し、図１７等に示す突条部３２ａ、３２ａを容器本体１０の上部に嵌合させる。これにより、筒状ベース３０が容器本体１０に取り付けられる。筒状ベース３０は、使用者が操作ボタン２０を回動させようとしたときに、操作ボタン２０と共に回動しないように容器本体１０に対して強固に取り付けられている。
【００８１】
図５に示すように、筒状ベース３０を容器本体１０に取り付けると、嵌合筒部２７ｂの下側に吐出管１３の上側が挿入されて嵌合する。
【００８２】
（実施形態の作用効果）
次に、上記のように構成された操作ボタン付き容器１の作用効果について説明する。操作ボタン２０の左側被案内部２４ｂ及び右側被案内部２５ｂが筒状カバー４０の左側案内用開口部４６ａ及び右側案内用開口部４７ａに挿入されているので、操作ボタン２０を回動させる力は筒状カバー４０に伝達される。
【００８３】
従って、操作ボタン２０を左方向に回動させると、筒状カバー４０も同方向に回動する。筒状ベース３０のストッパ部３０ｂが筒状カバー４０の右側窪み部４１ｃに入るまで筒状カバー４０が回動すると、ストッパ部３０ｂが右側窪み部４１ｃに入って係合し、これにより、筒状カバー４０の回動が停止して押下可能状態になる。このときに、筒状カバー４０の嵌合壁部４１の外周面に設けられている目印部４０ａが筒状ベース３０の押下可能状態表示部３０ｆと一致するので、使用者は操作ボタン２０が押下可能状態であることを容易に把握できる。
【００８４】
操作ボタン２０が押下可能状態にあるときには、筒状ベース３０の後側突片３４ａが操作ボタン２０の後壁部２６の切欠部２６ｂの直下方に位置しているので、後側突片３４ａが操作ボタン２０の押下を阻害することはない。また、操作ボタン２０が押下可能状態にあるときには、筒状カバー４０の左側案内用開口部４６ａの下端部が、筒状ベース３０の左板部３８ｂと左側突片３４ｂとの間の直上方に位置しているので、操作ボタン２０の左側被案内部２４ｂは、左側案内用開口部４６ａの下端部から筒状ベース３０の左板部３８ｂと左側突片３４ｂとの間に挿入可能になっており、左板部３８ｂと左側突片３４ｂが操作ボタン２０の押下を阻害することはない。さらに、操作ボタン２０が押下可能状態にあるときには、筒状カバー４０の右側案内用開口部４７ａの下端部が、筒状ベース３０の右板部３８ｃと左側突片３４ｃとの間の直上方に位置しているので、操作ボタン２０の右側被案内部２５ｂは、右側案内用開口部４７ａの下端部から筒状ベース３０の右板部３８ｃと右側突片３４ｃとの間に挿入可能になっており、右板部３８ｃと右側突片３４ｃが操作ボタン２０の押下を阻害することはない。
【００８５】
したがって、使用者は操作ボタン２０の指載置面２７ａに指を置いて操作ボタン２０を押し下げると、筒状ベース３０の後側突片３４ａが操作ボタン２０の後壁部２６の切欠部２６ｂに入り、また、操作ボタン２０の左側被案内部２４ｂが左板部３８ｂと左側突片３４ｂとの間に挿入され、さらに操作ボタン２０の右側被案内部２５ｂが右板部３８ｃと右側突片３４ｃとの間に挿入される。これにより、操作ボタン２０の嵌合筒部２７ｂが容器本体１０の吐出管１３を押動操作する。押動操作された吐出管１３から吐出された内容物は、操作ボタン２０の吐出通路２７ｄを経てノズル部２３に流入して吐出される。ノズル部２３が傾斜しているので、内容物を斜め上方へ向けて効果的に吐出させることができる。
【００８６】
操作ボタン２０を押し下げる際には、操作ボタン２０が筒状カバー４０の左側案内用開口部４６ａ及び右側案内用開口部４７ａによって下方へ案内されるので、操作が容易に行える。また、押下可能状態にある操作ボタン２０を押し下げる際には、操作ボタン２０の左側当接面２４ａ及び右側当接面２５ａと、筒状カバー４０の左側ボタン支持壁部４６及び右側ボタン支持壁部４７との間に隙間があるので、摺動抵抗が増大することはなく、良好な操作性が得られる。
【００８７】
使用者が指を操作ボタン２０の指載置面２７ａに置いて操作ボタン２０を押し下げる際、指を反ノズル部２３側である後側から指載置面２７ａに置いているので、操作ボタン２０には後側に引っ張る力が作用し、この力が操作ボタン２０から筒状カバー４０にも伝達して筒状カバー４０が後側に引っ張られることがある。筒状カバー４０のカバー側係合溝部４２が前側から左右両側方に亘って延びていて、同様に延びるベース側係合突部３９に係合しているので、従来例のように等間隔に配置されて分断された４つの係合突起を設ける場合に比べて、筒状カバー４０が後側に引っ張られた場合の耐力が大きく確保される。これにより、操作ボタン２０の操作時に筒状カバー４０及び操作ボタン２０が筒状ベース３０から外れるのを抑制できる。
【００８８】
尚、後側にはベース側係合突部３９及びカバー側係合溝部４２が形成されていない非連続部分があるが、上記した引っ張り力は、筒状カバー４０の外れ防止という観点からは、筒状カバー４０の後側において影響を殆ど及ぼさないので、上述のように引っ張られた場合の耐力の低下は回避される。
【００８９】
また、押下可能状態にある操作ボタン２０を右方向に回動させると、筒状カバー４０も同方向に回動し、筒状ベース３０のストッパ部３０ｂが筒状カバー４０の左側窪み部４１ｂに入るまで筒状カバー４０が回動すると、ストッパ部３０ｂが左側窪み部４１ｂに入って係合し、これにより、筒状カバー４０の回動が停止して非押下可能状態になる。このときに、筒状カバー４０の嵌合壁部４１の外周面に設けられている目印部４０ａが筒状ベース３０の非押下可能状態表示部３０ｅと一致するので、使用者は操作ボタン２０が非押下可能状態であることを容易に把握できる。
【００９０】
操作ボタン２０が非押下可能状態にあるときには、筒状ベース３０の後側突片３４ａが操作ボタン２０の後壁部２６の切欠部２６ｂから外れたところに位置しているので、後側突片３４ａが操作ボタン２０の後壁部２６の下端部に当接して操作ボタン２０が押下できなくなる。また、操作ボタン２０が押下可能状態にあるときには、操作ボタン２０の左側被案内部２４ｂが筒状ベース３０の左側円弧板部３６の上方に位置しているので、左側円弧板部３６が操作ボタン２０の左側被案内部２４ｂの下端部に当接して操作ボタン２０が押下できなくなる。
【００９１】
例えば操作ボタン付き容器１を落下させた場合には、ノズル部２３が上述のように突出していることから、ノズル部２３に衝撃力が加わって操作ボタン２０に対して回動方向に過大な力が作用することが考えられる。つまり、操作ボタン２０に対して吐出管１３の中心線Ａ周りに所定以上の回動力が作用することがあり、この実施形態では、左方向の過大な回動力が作用した場合には、操作ボタン２０の左側当接面２４ａが筒状カバー４０の左側ボタン支持壁部４６に当接して支持される。また、右方向の過大な回動力が作用した場合には、操作ボタン２０の右側当接面２５ａが筒状カバー４０の右側ボタン支持壁部４７に当接して支持される。左側当接面２４ａ、右側当接面２５ａ、左側ボタン支持壁部４６及び右側ボタン支持壁部４７が共に吐出管１３の中心線Ａ方向に延びているので、接触面積が広く確保されて力が分散して作用することになる。これにより、各部の破損を抑制できる。特に、左側被案内部２４ｂ及び右側被案内部２５ｂの変形や破損を抑制できるとともに、左側案内用開口部４６ａ及び右側案内用開口部４７ａの周縁部の変形や破損も抑制できるので、操作ボタン２０の操作性が悪化してしまうのを回避できる。
【００９２】
また、操作ボタン２０に対して吐出管１３の中心線Ａ周りに所定以上の回動力が作用したときにノズル部２３の外面を筒状カバー４０の左側ノズル支持壁部４８及び右側ノズル支持壁部４９によって支持することができる。これにより、回動力をノズル部２３にも分散できるので、各部の破損を抑制できる。
【００９３】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００９４】
以上説明したように、本発明に係る操作ボタン付き容器は、例えば害虫忌避剤、殺虫剤、芳香剤、消臭剤、除菌剤等を収容して使用することができる。
【符号の説明】
【００９５】
１                    操作ボタン付き容器
１０                  容器本体
１３                  吐出管
２０                  操作ボタン
２４ａ                左側当接面
２４ｂ                左側被案内部
２５ａ                右側当接面
２５ｂ                右側被案内部
２３                  ノズル部
２７ａ                指載置面
３０                  筒状ベース
４０                  筒状カバー
４６                  左側ボタン支持壁部
４６ａ                左側案内用開口部
４７                  右側ボタン支持壁部
４７ａ                右側案内用開口部
Ａ                    中心線
【図１】
0006732491.tif 000002
【図２】
0006732491.tif 000003
【図３】
0006732491.tif 000004
【図４】
0006732491.tif 000005
【図５】
0006732491.tif 000006
【図６】
0006732491.tif 000007
【図７】
0006732491.tif 000008
【図８】
0006732491.tif 000009
【図９】
0006732491.tif 000010
【図１０】
0006732491.tif 000011
【図１１】
0006732491.tif 000012
【図１２】
0006732491.tif 000013
【図１３】
0006732491.tif 000014
【図１４】
0006732491.tif 000015
【図１５】
0006732491.tif 000016
【図１６】
0006732491.tif 000017
【図１７】
0006732491.tif 000018
【図１８】
0006732491.tif 000019
【図１９】
0006732491.tif 000020
【図２０】
0006732491.tif 000021
【図２１】
0006732491.tif 000022
【図２２】
0006732491.tif 000023
【図２３】
0006732491.tif 000024